(57)【要約】【課題】  包装体に密封包装されている医薬品の取り出しを小さな操作力でスムーズに行う。【解決手段】  医薬品Ｍが密封包装されている包装体１の医薬品収納部１Ａを支持可能な支持部を有する支持体と、該支持体の支持部に対して遠近方向に移動自在な可動体とを備え、前記可動体には、前記支持部への近接移動に連れて該支持部に支持されている包装体１の医薬品収納部１Ａを押圧することにより、前記支持部に対面する包装材１の底面側の包装材１ｂにおける医薬品収納部１Ａ相当箇所を破断して該医薬品収納部１Ａ内の医薬品Ｍを押し出す押出し部４が設けられているとともに、前記支持体には、前記押出し部４による押圧力で前記包装体１の底面側包装材１ｂにおける医薬品収納部１Ａ相当箇所の一部に破断誘導用の脆弱部を形成する脆弱部形成手段５が設けられている。【選択図】図９
2009255966.tif 000002
【特許請求の範囲】
【請求項１】
医薬品が密封包装されている包装体の医薬品収納部を支持可能な支持部を有する支持体と、該支持体の支持部に対して遠近方向に移動自在な可動体とを備え、前記可動体には、前記支持部への近接移動に連れて該支持部に支持されている包装体の医薬品収納部を押圧することにより、前記支持部に対面する包装材の底面側の包装材における医薬品収納部相当箇所を破断して該医薬品収納部内の医薬品を押し出す押出し部が設けられている医薬品取出し装置であって、
前記支持体には、前記押出し部による押圧力で前記包装体の底面側包装材における医薬品収納部相当箇所の一部に破断誘導用の脆弱部を形成する脆弱部形成手段が設けられている医薬品取出し装置。
【請求項２】
前記可動体が支持体に対して揺動自在に枢着されているとともに、前記支持体には、前記包装体を前記支持部に差し入れ案内する前上がり傾斜の装着ガイド部材が設けられ、この装着ガイド部材には、前記包装体の医薬品収納部との当接により該包装体の医薬品収納部を前記押出し部の移動経路を横断する所定装着位置に位置決めする当り部が形成されている請求項１記載の医薬品取出し装置。
【請求項３】
前記装着ガイド部材が、前記可動体と支持体との間にわたって取付けられる弾性変形可能な装着ガイド板から構成されているとともに、前記装着ガイド板には、前記可動体と支持体との相対近接移動に連れて弾性変形しながら包装体の医薬品収納部の周囲の少なくとも一部を前記支持部に押し付ける押圧面が形成されている請求項２記載の医薬品取出し装置。
【請求項４】
前記脆弱部形成手段が、前記包装体の底面側包装材における医薬品収納部相当箇所の一部に破断誘導用の突き刺し穴を形成する突き刺し突起から構成されている請求項１〜３のいずれか１項に記載の医薬品取出し装置。
【請求項５】
前記突き刺し突起による突き刺し穴の形成位置が、前記包装体の表面側包装材における医薬品収納部形成用の周壁部の内周面の近傍箇所に設定されている請求項４記載の医薬品取出し装置。
【請求項６】
前記押出し部が、小径側に属する医薬品を押し出す第１押出し突起と、大径側に属する医薬品を前記第１押出し突起との協働で押し出す第２押出し突起とから構成されている請求項１〜５のいずれか１項に記載の医薬品取出し装置。
【請求項７】
前記第２押出し突起の突出代が第１押出し突起の突出代よりも小に構成されている請求項６記載の医薬品取出し装置。
【請求項８】
前記第２押出し突起が第１押出し突起よりも小径に構成されている請求項６又は７記載の医薬品取出し装置。
【発明の詳細な説明】
【技術分野】
【０００１】
本発明は、錠剤やカプセル等の医薬品がブリスタ包装等で密封包装されている包装体から医薬品を取り出すための医薬品取出し装置に関する。
【背景技術】
【０００２】
この種の医薬品取出し装置としては、テーブル等に載置可能な支持体に、医薬品が密封包装されている包装体の医薬品収納部を載置状態で支持可能な支持面と、包装体から取り出された医薬品が落下可能な落下口を形成するとともに、前記支持体に対して遠近方向に揺動操作自在に枢着された可動体には、前記支持面への近接移動に連れて該支持面に受け止め支持されている包装体の医薬品収納部を押圧することにより、前記支持面に対面する包装体の底面側の包装材における医薬品収納部相当箇所を破断して該医薬品収納部内の医薬品を押し出す円柱状の押出し部が設けられ、さらに、前記支持体の支持面には、前記包装体の医薬品収納部との当接により該包装体の医薬品収納部を前記押出し部の移動経路を横断する所定装着位置に位置決めする板状の当り部が固着されている（特許文献１，２参照）。
【０００３】
【特許文献１】実用新案登録第３０４５７０１号公報
【特許文献２】実開平７−３７１８３号公報
【発明の開示】
【発明が解決しようとする課題】
【０００４】
従来の医薬品取出し装置では、前記支持体の支持面に受け止め支持されている包装体の医薬品収納部を可動体の押出し部にて押圧することにより、医薬品収納部内の医薬品を介して支持面に対面する包装体の底面側の包装材における医薬品収納部相当箇所を破断するため、押圧力が底面側包装材の医薬品収納部周縁に分散され、医薬品の取り出しに比較的大きな操作力を要していた。
【０００５】
本発明は、上述の実状に鑑みて為されたものであって、その主たる課題は、前記支持体側での合理的な改良により、包装体に密封包装されている医薬品の取り出しを小さな操作力でスムーズに行うことのできる医薬品取出し装置を提供する点にある。
【課題を解決するための手段】
【０００６】
本発明による第１の特徴構成は、医薬品が密封包装されている包装体の医薬品収納部を支持可能な支持部を有する支持体と、該支持体の支持部に対して遠近方向に移動自在な可動体とを備え、前記可動体には、前記支持部への近接移動に連れて該支持部に支持されている包装体の医薬品収納部を押圧することにより、前記支持部に対面する包装材の底面側の包装材における医薬品収納部相当箇所を破断して該医薬品収納部内の医薬品を押し出す押出し部が設けられている医薬品取出し装置であって、
前記支持体には、前記押出し部による押圧力で前記包装体の底面側包装材における医薬品収納部相当箇所の一部に破断誘導用の脆弱部を形成する脆弱部形成手段が設けられている点にある。
【０００７】
上記特徴構成によれば、前記支持体に対して可動体を相対近接操作して、支持体の支持部に支持されている包装体の医薬品収納部を可動体の押出し部にて押圧すると、その押圧初期段階の押圧力により、前記支持体に設けられた脆弱部形成手段によって前記包装体の底面側包装材における医薬品収納部相当箇所の一部に脆弱部が形成され、この脆弱部を起点として破断が誘導され、その破断箇所を通して医薬品収納部内の医薬品が押し出されることになる。
【０００８】
従って、前記包装体に密封包装されている医薬品の取り出しを小さな操作力で確実、スムーズに行うことができるとともに、前記押出し部の押圧力を利用して破断誘導用の脆弱部を形成するだけなので、構造面及び製造コスト面で有利に実施することができる。
【０００９】
本発明による第２の特徴構成は、前記可動体が支持体に対して揺動自在に枢着されているとともに、前記支持体には、前記包装体を前記支持部に差し入れ案内する前上がり傾斜の装着ガイド部材が設けられ、この装着ガイド部材には、前記包装体の医薬品収納部との当接により該包装体の医薬品収納部を前記押出し部の移動経路を横断する所定装着位置に位置決めする当り部が形成されている点にある。
【００１０】
上記特徴構成によれば、前記支持体に設けた装着ガイド部材によって、前記包装体の医薬品収納部を前記支持部にスムーズに差し入れ案内することができるばかりでなく、この装着ガイド部材には当り部が形成されているので、差し入れ案内されてくる包装体の医薬品収納部が当り部に当接するまで差し入れることにより、包装体の医薬品収納部を前記押出し部の移動経路を横断する所定装着位置に位置決めすることができ、前記包装体の医薬品収納部の装着操作の確実化と容易化を図ることができる。
【００１１】
本発明による第３の特徴構成は、前記装着ガイド部材が、前記可動体と支持体との間にわたって取付けられる弾性変形可能な装着ガイド板から構成されているとともに、前記装着ガイド板には、前記可動体と支持体との相対近接移動に連れて弾性変形しながら包装体の医薬品収納部の周囲の少なくとも一部を前記支持部に押し付ける押圧面が形成されている点にある。
【００１２】
上記特徴構成によれば、前記可動体と支持体との間にわたって取付けられる弾性変形可能な装着ガイド板によって、前記包装体の医薬品収納部を前記支持部にスムーズに差し入れ案内することができるばかりでなく、所定装着位置に装着された包装体の医薬品収納部の周囲の少なくとも一部を、可動体と支持体との相対近接移動に連れて弾性変形する装着ガイド板の押圧面で支持部に押し付け固定することができるから、押し出し操作時の振動等によって包装体が所定装着位置から位置ずれすることがなく、医薬品の損傷を抑制しながらスムーズに取り出すことができる。
【００１３】
本発明による第４の特徴構成は、前記脆弱部形成手段が、前記包装体の底面側包装材における医薬品収納部相当箇所の一部に破断誘導用の突き刺し穴を形成する突き刺し突起から構成されている点にある。
【００１４】
上記特徴構成によれば、前記支持体に対して可動体を相対近接操作して、支持体の支持部に支持されている包装体の医薬品収納部を可動体の押出し部にて押圧すると、その押圧初期段階の押圧力により、前記支持体に設けられた脆弱部形成手段である突き刺し突起によって前記包装体の底面側包装材における医薬品収納部相当箇所の一部に突き刺し穴が形成され、この突き刺し穴を起点として破断が誘導され、その破断箇所を通して医薬品収納部内の医薬品が押し出されることになる。
従って、前記押出し部の押圧力を利用して破断誘導用の突き刺し穴を形成する突き刺し突起を付設するだけで済むため、構造簡素化と製造コストの低廉化を図りながら。包装体に密封包装されている医薬品の取り出しを小さな操作力で確実、スムーズに行うことができる。
【００１５】
本発明による第５の特徴構成は、前記突き刺し突起による突き刺し穴の形成位置が、前記包装体の表面側包装材における医薬品収納部形成用の周壁部の内周面の近傍箇所に設定されている点にある。
【００１６】
上記特徴構成によれば、前記突き刺し突起による医薬品の損傷を抑制することができるとともに、前記包装体の表面側包装材のうちでも剛性の高い医薬品収納部形成用の周壁部を利用して、包装体の底面側包装材における医薬品収納部相当箇所の一部に突き刺し穴を確実、容易に形成することができる。
【００１７】
本発明による第６の特徴構成は、前記押出し部が、小径側に属する医薬品を押し出す第１押出し突起と、大径側に属する医薬品を前記第１押出し突起との協働で押し出す第２押出し突起とから構成されている点にある。
【００１８】
上記特徴構成によれば、前記押出し部が、小径側に属する医薬品から大径側に属する医薬品まで押し出し可能な長尺の押出し突起から構成されている場合では、特に、小径側に属する医薬品を取り出すとき、前記包装体の表面側包装材のうちでも剛性の高い医薬品収納部形成用の周壁部を長尺の押出し突起で押し潰しながら押し出すことになるため、医薬品の取り出し操作が重くなる。しかし、本発明では、小径側に属する医薬品は第１押出し突起のみで押出し、大径側に属する医薬品は第１押出し突起と第２押出し突起との協働で押し出すことによって、前記包装体の表面側包装材のうちでも剛性の高い医薬品収納部形成用の周壁部を押し潰すことを抑制することができ、医薬品の取り出し操作の軽量化を図ることができる。
【００１９】
本発明による第７の特徴構成は、前記第２押出し突起の突出代が第１押出し突起の突出代よりも小に構成されている点にある。
【００２０】
上記特徴構成によれば、前記第２押出し突起の移動経路に、前記包装体の表面側包装材のうちでも剛性の高い医薬品収納部形成用の周壁部が位置する場合でも、前記第２押出し突起の突出代が第１押出し突起の突出代よりも短い分だけ前記周壁部の押し潰し量が少なくなり、医薬品の取り出し操作の軽量化を図ることができる。
【００２１】
本発明による第８の特徴構成は、前記第２押出し突起が第１押出し突起よりも小径に構成されている点にある。
【００２２】
上記特徴構成によれば、前記第２押出し突起の移動経路に、前記包装体の表面側包装材のうちでも剛性の高い医薬品収納部形成用の周壁部が位置する場合でも、前記第２押出し突起が第１押出し突起よりも小径に構成されている分だけ前記周壁部の押し潰し量が少なくなり、医薬品の取り出し操作の軽量化を図ることができる。
【発明を実施するための最良の形態】
【００２３】
〔第１実施形態〕
図１〜図１１は、錠剤やカプセル等の医薬品Ｍがブリスタ包装等で密封包装されている包装体１から医薬品Ｍを取り出すための医薬品取出し装置を示し、包装体１の医薬品収納部１Ａを載置支持可能な水平で平滑な支持面（支持部の一例）２に医薬品Ｍの落下口３を形成してある合成樹脂製の支持体Ａと、該支持体Ａに対して支持面２の遠近方向に揺動操作自在に枢着される合成樹脂製の可動体Ｂ、及び、この可動体Ｂを支持体Ａの支持面２から離間した開き姿勢に付勢する弾性付勢手段Ｃとが備えられている。
【００２４】
前記可動体Ｂには、前記支持面２への近接移動に連れて該支持面２に受け止め支持されている包装体１の医薬品収納部１Ａを押圧することにより、前記支持面２に対面する包装材１の底面側の包装材１ｂにおける医薬品収納部相当箇所を破断して該医薬品収納部１Ａ内の医薬品Ｍを押し出す押出し部４が設けられているとともに、前記支持体Ａには、前記押出し部４による押出初期の押圧力で包装体１の底面側包装材１ｂにおける医薬品収納部相当箇所の一部に破断誘導用の脆弱部を形成する脆弱部形成手段５が設けられている。
【００２５】
前記支持体Ａと可動体Ｂとの間には、前記包装体１を支持体Ａの支持面２の所定位置に差し入れ案内する前上がり傾斜の装着ガイド部材の一例で、前記可動体Ｂと支持体Ａとの相対近接揺動に連れて弾性変形する合成樹脂製の装着ガイド板６が設けられ、この装着ガイド板６には、前記包装体１の医薬品収納部１Ａとの当接により該包装体１の医薬品収納部１Ａを前記押出し部４の移動経路を横断する所定装着位置に位置決めする当り部７が形成されている。
【００２６】
前記包装体１は、図９〜図１１に示すように、ブリスタ包装の一例であるプレススルーパック（ＰＴＰ）製であって、その表面側包装材１ａは、ポリ塩化ビニルやポリプロピレン等の熱可塑性樹脂からなる透明な基材シートから構成され、表面側包装材１ａの縦横に所定ピッチを隔てた複数の部位には、医薬品Ｍを収納する円筒状の医薬品収納部１Ａが膨出成形され、この医薬品収納部１Ａは、医薬品収納空間を区画形成する円筒状の周壁部１ｃと天井壁部１ｄから構成されている。
【００２７】
また、前記包装体１の底面側包装材１ｂは、表面側包装材１ａ側の各錠剤収納部１Ａの開口を密封するためのヒートシール層を備えたアルミニウム箔や薄いリジッドプラスチックシート等から構成されていて、この底面側包装材１ｂを押し破ることにより、各医薬品収納部１Ａ内の医薬品Ｍを取り出し得るように構成されている。
【００２８】
前記支持体Ａは、図１〜図８に示すように、机上面等に載置可能な底板部１０とこれの三側縁に一体形成される側板部１１を備えた合成樹脂製の下側支持ケースＡ１と、当該下側支持ケースＡ１の底板部１０の輪郭形状と同一形状の支持板部２０と、前記下側支持ケースＡ１の側板部１１に上下方向から接合可能な状態で支持板部２０の三側縁に一体形成される側板部２１を備えた合成樹脂製の上側支持ケースＡ２とからなり、前記下側支持ケースＡ１と上側支持ケースＡ２と対向面間に形成される前方及び側方に開口する格納空間Ｓには、前記落下口３から落下してくる医薬品Ｍを受け止める合成樹脂製の収納ケース８が前方に抜き出し操作自在に装着されている。
【００２９】
前記下側支持ケースＡ１の側板部１１の前端側上部には、図６、図７に示すように、両支持ケースＡ１，Ａ２の側板部１１，２１の先端同士が接合されたとき、上側支持ケースＡ２の側板部２１の前端側下部に形成された被係合部２２に係合する第１係止爪１２が形成されているとともに、前記下側支持ケースＡ１の底板部１０には、両支持ケースＡ１，Ａ２の側板部１１，２１の先端同士が接合されたとき、バネ受けボックス２４の前後側壁２４ａに形成された係止孔２５に係合する第２係止爪１３が形成されている。
【００３０】
前記上側支持ケースＡ２の支持板部２０の上面における全長の略１／３に相当する前側部が平滑な前記支持面２に構成されているとともに、前記支持板部２０の上面のうち、前記支持面２の形成領域を除く部位の前後中間部には、底面中央にバネ受け突起２３を備えた上方開口の角箱状のバネ受けボックス２４が下方に突出する状態で一体形成され、両支持ケースＡ１，Ａ２の側板部１１，２１の先端同士が接合されたとき、前記バネ受けボックス２４の底部下面が下側支持ケースＡ１の底板部１０の上面に当接するように構成されている。
【００３１】
前記上側支持ケースＡ２の支持板部２０の上面には、図７に示すように、前記バネ受けボックス２４の左右両側脇を通して前後方向に延びる一対の取付け側板２６が一体形成され、この取付け側板２６の外側面の後端部には、前記可動体Ｂを揺動自在に枢支するための枢支ピン２７が一体形成されている。
【００３２】
前記可動体Ｂは、図１〜図８に示すように、支持体Ａを把持した片手の親指で押圧操作可能な曲線状の指当て面３０ａを備えた天板部３０と、該天板部３０の左右両側縁に一体形成される側板部３１を備えた合成樹脂製の可動ケースから構成され、この可動ケースＢの前端部は、前面視において略Ｖ字状に窄まり形成された上方開口の押圧基部３２に形成され、前記側板部３１の後端部には、上側支持ケースＡ２の枢支ピン２７に回動自在に外嵌される枢支孔３３が貫通形成されている。
【００３３】
前記押出し部４は、前記可動ケースＢの押圧基部３２の先鋭側先端に、図９に示すように、小径側に属する医薬品Ｍを押し出す円柱状の第１押出し突起４Ａと、図１０に示すように、大径側に属する医薬品Ｍを前記第１押出し突起４Ａとの協働で押し出す円柱状の第２押出し突起４Ｂとを、前後方向に所定間隔をおいて一体成形して構成されているとともに、前記第２押出し突起４Ｂの突出代が第１押出し突起４Ａの突出代よりも小に構成され、さらに、前記第２押出し突起４Ｂの外径が第１押出し突起４Ａ外径よりも小に構成されている。
そのため、例えば、前記押出し部４が、小径側に属する医薬品Ｍから大径側に属する医薬品Ｍまで押し出し可能な長尺の押出し突起から構成されている場合では、特に、小径側に属する医薬品を取り出すとき、前記包装体１の表面側包装材１ａのうちでも剛性の高い医薬品収納部形成用の周壁部１ｃを長尺の押出し突起で押し潰しながら押し出すことになるため、医薬品Ｍの取り出し操作が重くなる。しかし、本発明では、小径側に属する医薬品Ｍは第１押出し突起４Ａのみで押出し、大径側に属する医薬品は第１押出し突起４Ａと第２押出し突起４Ｂとの協働で押し出すことによって、前記包装体１の表面側包装材１ａのうちでも剛性の高い医薬品収納部形成用の周壁部１ｃを押し潰すことを抑制することができ、医薬品の取り出し操作の軽量化を図ることができる。
【００３４】
また、図１１に示すように、前記第２押出し突起４Ｂの移動経路に、前記包装体１の表面側包装材１ａのうちでも剛性の高い医薬品収納部形成用の周壁部１ｃが位置する場合でも、前記第２押出し突起４Ｂの突出代が第１押出し突起４Ｂの突出代よりも短い分だけ、さらに、前記第２押出し突起４Ｂが第１押出し突起４Ａよりも小径に構成されている分だけ前記周壁部１ｃの押し潰し量が少なくなり、医薬品の取り出し操作の軽量化を図ることができる。
【００３５】
前記可動ケースＢの天板部３０に内面には、上側支持ケースＡ２のバネ受けボックス２４のバネ受け突起２３に対向するバネ受け突起３４が一体成形され、前記可動ケースＢのバネ受け突起３４と上側支持ケースＡ２のバネ受け突起２３との圧縮コイルスプリング９を係止保持して、可動ケースＢを上側支持ケースＡ２支持面２から離間した開き姿勢に付勢する前記弾性付勢手段Ｃが構成されている。
【００３６】
前記装着ガイド板６の一端には、図６、図７に示すように、上側支持ケースＡ２の両取付け側板２６間に入り込み可能な幅で下方に開口する角箱状の取付けボックス４０が一体形成され、前記上側支持ケースＡ２の両取付け側板２６の前端上部には、入り込み装着された取付けボックス４０の上面に係合して該取付けボックス４０を抜止め固定する係止爪２８が一体成形されている。
【００３７】
また、前記装着ガイド板６の他端には、前記可動ケースＢの押圧基部３２の開口部３２ａに嵌合装着自在な取付け蓋部４１が一体形成され、この取付け蓋部４１には、可動ケースＢの押圧基部３２の開口部３２ａに嵌合されたとき、当該開口部３２ａに形成された係合凹部に係合して取付け蓋部４１を抜止め固定する係止爪２８が一体成形されている。
【００３８】
前記装着ガイド板６の長手方向の二箇所及び当該装着ガイド板６と取付け蓋部４１との接続箇所には、押し込み操作力の軽減を図るために、他の部位よりも屈曲し易い薄肉部６ａが形成されているとともに、前記装着ガイド板６の当り部７は、該装着ガイド板６に形成された長円形状の長孔４３の下端側の半円弧面をもって形成され、さらに、当該半円弧面７は、包装体１の医薬品収納部１Ａの最大外径に相当する半径の円弧状に形成されている。
【００３９】
前記脆弱部形成手段５は、図７〜図１１に示すように、前記上側支持ケースＡ２の支持面２における落下口３周縁の後端側部位に、前記包装体１の底面側包装材１ｂにおける医薬品収納部１Ａ相当箇所の一部に破断誘導用の突き刺し穴を形成する先鋭な突き刺し突起から構成されているとともに、前記突き刺し突起５による突き刺し穴の形成位置が、前記包装体１の表面側包装材１ａにおける医薬品収納部１Ａ形成用の周壁部１ｃの内周面の近傍箇所に設定されている。
【００４０】
そして、前記支持体Ａに対して可動体Ｂを相対近接操作して、支持体Ａの支持面２に載置支持されている包装体１の医薬品収納部１Ａを可動体Ｂの押出し部４にて押圧すると、その押圧初期段階の押圧力により、前記支持体Ａに設けられた脆弱部形成手段である突き刺し突起５によって前記包装体１の底面側包装材１ｂにおける医薬品収納部１Ａ相当箇所の一部に突き刺し穴が形成され、この突き刺し穴を起点として破断が誘導され、その破断箇所を通して医薬品収納部１Ａ内の医薬品Ｍが押し出されることになる。
【００４１】
さらに、前記突き刺し穴の形成位置が周壁部１ｃの内周面の近傍箇所であるため、突き刺し突起５による医薬品Ｍの損傷を抑制することができるとともに、前記包装体１の表面側包装材１ａのうちでも剛性の高い医薬品収納部形成用の周壁部１ｃを利用して、包装体１の底面側包装材１ｂにおける医薬品収納部１Ａ相当箇所の一部に突き刺し穴を確実、容易に形成することができる。
【００４２】
尚、前記収納ケース８の底壁部８ａと下側支持ケースＡ１の底板部１０との相対向する部位には、収納ケース８が格納空間Ｓの所定位置に押し込まれたとき、互いに係合して収納ケース８の抜け出し移動に抵抗を付与する位置決め用の凹部と凸部が形成されている。
【００４３】
〔第２実施形態〕
上述の第１実施形態では、前記装着ガイド板６の長手方向の二箇所及び当該装着ガイド板６と取付け蓋部４１との接続箇所に、他の部位よりも屈曲し易い薄肉部６ａを形成したが、図１２、図１３に示すように、前記装着ガイド板６を、薄肉部６ａの無い一様な肉厚に構成して、前記可動体Ｂと支持体Ａとの相対近接移動に連れて弾性変形しながら包装体１の医薬品収納部１Ａの周囲の少なくとも一部を前記支持面２に押し付けるように構成する、換言すれば、前記装着ガイド板６に、前記可動体Ｂと支持体Ａとの相対近接移動に連れて弾性変形しながら包装体１の医薬品収納部１Ａの周囲の少なくとも一部を前記支持面２に押し付ける押圧面６ｂを形成してもよい。
【００４４】
前記可動体Ｂと支持体Ａとの間にわたって取付けられる弾性変形可能な装着ガイド板６によって、前記包装体１の医薬品収納部１Ａを前記支持面２の所定装着位置にスムーズに差し入れ案内することができるばかりでなく、所定装着位置に装着された包装体１の医薬品収納部１Ａの周囲の少なくとも一部を、可動体Ｂと支持体Ａとの相対近接移動に連れて弾性変形する装着ガイド板６の押圧面６ｂで支持面２に押し付け固定することができるから、押し出し操作時の振動等によって包装体１が所定装着位置から位置ずれすることがなく、医薬品Ｍの損傷を抑制しながらスムーズに取り出すことができる。
尚、その他の構成は、第１実施形態で説明した構成と同一であるから、同一の構成箇所には、第１実施形態と同一の番号を付記してそれの説明は省略する。
【００４５】
〔その他の実施形態〕
（１）上述の実施例では、前記押出し部４を、小径側に属する医薬品Ｍを押し出す第１押出し突起４Ａと、大径側に属する医薬品Ｍを前記第１押出し突起４Ａとの協働で押し出す第２押出し突起４Ｂとから構成したが、この前記押出し部４を一つ又は三つ以上の押出し突起から構成してもよい。
【００４６】
（２）上述の実施例では、前記脆弱部形成手段５を、包装体１の底面側包装材１ｂにおける医薬品収納部１Ａ相当箇所の一部に破断誘導用の突き刺し穴を形成する突き刺し突起から構成したが、これに限定されるものではなく、例えば、包装体１の底面側包装材１ｂにおける医薬品収納部１Ａ相当箇所の一部に熱線等を当て付けて機械的強度の弱い凹部又は孔を形成してもよい。
【００４７】
（３）上述の実施例では、前記支持体Ａに対して可動体Ｂを揺動自在に枢支連結したが、前記可動体Ｂを支持体Ａに対して平行に遠近方向に移動させるように構成してもよい。
【００４８】
（４）上述の実施例では、前記装着ガイド部材の一例である装着ガイド板６を、前記可動体Ｂと支持体Ａとの間にわたって取付けたが、前記装着ガイド板６を前記支持体に片持ち状態で取付けてもよい。
要するに、前記装着ガイド部材としては、前記包装体１を前記支持面２の所定装着位置に差し入れ案内することの可能な形態であれば、前記支持体Ａ又は可動体Ｂのいずれに取付けてもよい。
【００４９】
（５）上述の実施例では、前記支持体Ａの支持部２を水平で平滑な支持面から構成したが、この支持部２としては、前記包装体１の少なくとも一つの医薬品収納部１Ａを支持することのできるものであれば、いかなる構造に構成してもよい。
【図面の簡単な説明】
【００５０】
【図１】本発明の医薬品取出し装置の第１実施形態を示す全体の平面図
【図２】全体の側面図
【図３】全体の正面図
【図４】図１におけるＩＶ−ＩＶ線断面図
【図５】押し込み操作時の縦断側面図
【図６】分解時の縦断側面図
【図７】分解時の斜視図
【図８】要部の拡大断面側面図
【図９】小径側に属する医薬品取り出し時の要部の拡大断面側面図
【図１０】大径側に属する医薬品取り出し時の要部の拡大断面側面図
【図１１】中径側に属する医薬品取り出し時の要部の拡大断面側面図
【図１２】本発明の医薬品取出し装置の第２実施形態を示す要部の拡大断面側面図
【図１３】医薬品取り出し途中での要部の拡大断面側面図
【符号の説明】
【００５１】
Ａ        支持体
Ｂ        可動体
Ｍ        医薬品
１        包装体
１Ａ      医薬品収納部
１ａ      表面側包装材
１ｂ      裏面側包装材
１ｃ      周壁部
２        支持部（支持面）
４        押出し部
４Ａ      第１押出し突起
４Ｂ      第２押出し突起
５        脆弱部形成手段（突き刺し突起）
６        装着ガイド部材（装着ガイド板）
６ｂ      押圧面
７        当り部
【図１】
2009255966.tif 000003
【図２】
2009255966.tif 000004
【図３】
2009255966.tif 000005
【図４】
2009255966.tif 000006
【図５】
2009255966.tif 000007
【図６】
2009255966.tif 000008
【図７】
2009255966.tif 000009
【図８】
2009255966.tif 000010
【図９】
2009255966.tif 000011
【図１０】
2009255966.tif 000012
【図１１】
2009255966.tif 000013
【図１２】
2009255966.tif 000014
【図１３】
2009255966.tif 000015